(57)【要約】【課題】  テレビが番組やネットワークを介して取得したコンテンツ情報を、PCや携帯電話に転送するためのユーザフレンドリーな装置、方法を提供する。【解決手段】  コンテンツを受信する受信手段と、前記受信手段で受信したコンテンツに対応した、ネットワーク上に保存されているコンテンツのアドレスを示すアドレス情報を取得する取得手段と、前記ネットワークにアクセスする機能を有する情報端末が通信可能に接続される接続手段と、前記取得手段で取得したアドレス情報を前記接続手段に接続された情報端末に情報端末からのアクセスにより転送する転送手段とを具備することを特徴とするアドレス情報制御装置。【選択図】      図３
2008152707.tif 000002
【特許請求の範囲】
【請求項１】
コンテンツを受信する受信手段と、
前記受信手段で受信したコンテンツに対応した、ネットワーク上に保存されているコンテンツのアドレスを示すアドレス情報を取得する取得手段と、
前記ネットワークにアクセスする機能を有する情報端末が通信可能に接続される接続手段と、
前記取得手段で取得したアドレス情報を前記接続手段に接続された情報端末に情報端末からのアクセスにより転送する転送手段とを具備することを特徴とするアドレス情報制御装置。
【請求項２】
受信機が通信可能に接続される接続手段と、
コンテンツを受信する受信機が受信したコンテンツに対応した、ネットワーク上に保存されているコンテンツのアドレスを示すアドレス情報をネットワークにアクセスする機能を有する受信機から前記接続手段により取得する取得手段と、
前記取得手段で取得したアドレス情報に基づきネットワークのサイトにアクセスするアクセス手段とを具備することを特徴とするアドレス情報制御装置。
【請求項３】
前記転送手段は、前記アドレス情報を転送する情報端末からの要求に応じて、前記取得手段の電源を立ち上げるように制御してから、アドレス情報を転送することを特徴とする請求項１記載のアドレス情報制御装置。
【請求項４】
前記接続手段は、前記アドレス情報をアクセスする受信機から応答がない場合、受信機の電源を立ち上げるように制御してから、アドレス情報を前記取得手段に取得させることを特徴とする請求項２記載のアドレス情報制御装置。
【請求項５】
放送を受信する受信手段と、
前記受信手段で受信したコンテンツに映像表示のための信号処理を施す処理手段と、
前記処理手段で信号処理が施されたコンテンツに対応した映像を表示する表示手段と、
前記受信手段で受信したコンテンツに対応した、ネットワーク上に保存されているコンテンツのアドレスを示すアドレス情報を取得する取得手段と、
前記ネットワークにアクセスする機能を有する情報端末が通信可能に接続される接続手段と、
前記取得手段で取得したアドレス情報を前記接続手段に接続された情報端末に情報端末からのアクセスにより転送する転送手段とを具備することを特徴とする放送受信装置。
【請求項６】
コンテンツを受信する工程と、
受信したコンテンツに対応した、ネットワーク上に保存されているコンテンツのアドレスを示すアドレス情報を取得する工程と、
取得したアドレス情報を前記ネットワークにアクセスする機能を有する情報端末に情報端末からのアクセスにより転送する工程とを具備することを特徴とするアドレス情報制御方法。
【発明の詳細な説明】
【技術分野】
【０００１】
この発明は、例えばネットワーク接続機能を有するデジタルテレビジョン放送受信装置等に関して使用して好適するアドレス情報制御装置及びアドレス情報制御方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタル放送を受信するテレビジョン放送受信装置にあっては、例えばインターネット等に接続可能なネットワーク接続機能が備えられてきており、ユーザが視聴中に知り得たコンテンツについてより詳細な情報や購入等を希望する場合、そのコンテンツに対応したネットワーク上に保存されているコンテンツ（アクセスサイトに保存されている情報）のアドレスを示すアドレス情報であるＵＲＬ（uniform resource locator）を取得することができ、取得したアドレス情報に基づいてサイトにアクセスし、必要な情報の取得や商品の購入等を行なうことが可能になっている。
【０００４】
ところで、この種のネットワーク接続機能を備えたテレビジョン放送受信装置においては、将来的に、ネットワークを介して取得したアドレス情報を、例えばＰＣ（personal computer）や携帯電話等の情報端末に転送し、サイトへのアクセスを情報端末から行なうような使用形態を要望される可能性が高くなっている。
【０００５】
ここでテレビがネットワークにつながることで、様々なコンテンツ情報（DVDの購入サイトURL、音楽の購入サイトURL等）を取得できる可能性がある。またテレビで取得したコンテンツ情報をテレビ、PCや携帯電話（接続機器）の蓄積媒体に蓄積し、接続機器で容易に情報を抽出したいという需要が出てくる可能性がある。よってこれらの可能性の実現を目的とした発明が待たれている。
【０００６】
特許文献１には、表示装置と、この表示装置に表示するコンテンツデータに関連するＵＲＬ等のコンテンツ関連情報を記憶する記憶装置と、この記憶装置に記憶されたコンテンツ関連情報をＰＣや携帯電話等に送信可能な送信インターフェースとによって構成されるコンテンツ関連情報提供装置が開示されている。
【０００７】
また、特許文献２には、ホームページを特定する特定情報をユーザの指示で記憶する特定情報記憶手段と通信手段とを有し、通信手段がインターネットに接続可能な情報処理装置から特定情報の取得要求があった場合に特定情報を送信するようにした情報受信装置が開示されている。
【０００８】
しかし特許文献１にある方法は、宣伝広告などの情報提供と、携帯電話などの携帯型情報端末とを連動させて提供されるコンテンツに関連する情報を提供するというもので、ここで上記目的としているものとは異なるものである。
【０００９】
また特許文献２にある方法は、テレビが得た各放送番組の代表ＵＲＬを情報受信装置が特定メモリに入れ情報受信装置毎の目的に応じたホームページへアクセスするものである。しかし、各放送番組の代表ＵＲＬはPCや携帯電話で扱いたいコンテンツ情報からは遠く離れているという問題がある。
【特許文献１】特開２００４−００５５３９号公報
【特許文献２】特開２００２−１０８７５０号公報
【発明の開示】
【発明が解決しようとする課題】
【００１０】
本発明は、テレビが番組やネットワークを介して取得したコンテンツ情報を、PCや携帯電話に転送するためのユーザフレンドリーな装置、方法を提供することを目的とする。
【課題を解決するための手段】
【００１１】
上記課題を解決するために、本発明のアドレス情報制御装置は、コンテンツを受信する受信手段と、前記受信手段で受信したコンテンツに対応した、ネットワーク上に保存されているコンテンツのアドレスを示すアドレス情報を取得する取得手段と、前記ネットワークにアクセスする機能を有する情報端末が通信可能に接続される接続手段と、前記取得手段で取得したアドレス情報を前記接続手段に接続された情報端末に情報端末からのアクセスにより転送する転送手段とを具備することを特徴とする。
【発明の効果】
【００１２】
本発明によれば、テレビが番組やネットワークを介して取得したコンテンツ情報を、PCや携帯電話に転送するためのユーザフレンドリーな装置、方法が得られる。
【発明を実施するための最良の形態】
【００１３】
以下、本発明の実施例を説明する。
【実施例１】
【００１４】
本発明による実施例１を図１乃至図３を参照して説明する。
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１５】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（secure digital）メモリカード、ＭＭＣ（multimedia card）等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１８】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１９】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内蔵のＤＶＤ（digital versatile disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
さらに、上記ＩＥＥＥ１３９４端子２４は、例えばＡＶ（audio video）−ＨＤＤ４１、Ｄ（digital）−ＶＨＳ（video home system）４２等をシリアル接続し、これらの機器と情報伝送を行なうために使用される。
【００２６】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２７】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２８】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２９】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００３０】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３１】
ここで、上記信号処理部４８は、ＴＳ復号器４７，５３からそれぞれ供給されたデジタルの映像信号及び音声信号に対して、選択的に所定のデジタル信号処理を施し、グラフィックス処理部５６及び音声処理部５７に出力している。
【００３２】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３３】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィックス処理部５６及び音声処理部５７に出力している。
【００３４】
このうち、グラフィックス処理部５６は、信号処理部４８から供給されるデジタルの映像信号に、ＯＳＤ（on screen display）信号生成部５９で生成されるＯＳＤ信号を重畳して出力する機能を有する。このグラフィックス処理部５６は、信号処理部４８の出力映像信号と、ＯＳＤ信号生成部５９の出力ＯＳＤ信号とを選択的に出力すること、また、両出力をそれぞれ画面の半分を構成するように組み合わせて出力することができる。
【００３５】
そして、グラフィックス処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３６】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３７】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出された操作情報を前記受光部１８を介して受信し、その操作内容が反映されるように各部をそれぞれ制御している。
【００３８】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３９】
また、この制御部６１は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００４０】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４１】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４２】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４３】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢＩ／Ｆ７０を介して情報伝送を行なうことができる。
【００４４】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４Ｉ／Ｆ７１を介して情報伝送を行なうことができる。
【００４５】
ここにおいて、上記デジタルテレビジョン放送受信装置１１では、ユーザが、テレビジョン放送を受信して番組を視聴中に知り得たコンテンツについて、より詳細な情報や購入等を希望する場合、リモートコントローラ１７によって所定の操作を行なうことにより、そのコンテンツに対応した、ネットワーク３２上に保存されているコンテンツ（アクセスサイトに保存されている情報）のアドレスを示すアドレス情報であるＵＲＬを、上記ネットワーク３２を介して取得することができる。
【００４６】
そして、このデジタルテレビジョン放送受信装置１１では、ネットワーク３２から取得したアドレス情報を含むパケットを、第２のＬＡＮ端子２２に接続された情報端末であるＰＣ２８に転送する機能を有する。これにより、ユーザは、ＰＣ２８を利用して、アドレス情報で示されるサイトにアクセスし、必要な情報の取得や商品の購入等を行なうことが可能となる。
【００４７】
＜DTVの蓄積媒体にコンテンツ情報を保存する場合＞
番組やインターネットから取得したコンテンツ情報を、テレビの蓄積媒体に保存しておく。
接続機器は定期的にテレビの蓄積媒体を見張り、コンテンツ情報があれば取得する。取得したコンテンツ情報には音楽やDVD等の物販サイトのURLが埋め込まれているため、そのURLを抽出し、自動的に自身のブラウザをたちあげて物販サイトを開く。接続機器側では、ユーザは一切の操作ステップが存在しないため、ユーザは手間なく物販サイトまでアクセスできる。
【００４８】
一度取得したコンテンツ情報は、「履歴」という形で接続機器の蓄積媒体に残しておき、テレビ側の蓄積媒体からはコンテンツ情報を削除する。これにより、インターネットの問題で物販サイトにアクセスできなかった場合や、テレビの蓄積媒体の容量オーバーといった問題を回避できる。特徴は次のようになる。
【００４９】
●テレビの蓄積媒体にコンテンツ情報を蓄積し、接続機器がアクセス
1.  テレビは取得したコンテンツ情報をテレビの蓄積媒体に記録する。
2.  接続機器は任意にテレビの蓄積媒体にアクセスする。
3.  コンテンツ情報があれば、有線LAN・無線LAN（ソケット通信やメール）やBluetoothを使用して、接続機器はコンテンツ情報を取得する。
4.  接続機器は、取得したコンテンツ情報に埋め込まれているURLの物販サイトを自動的に開く。
また、テレビと接続機器の電源状態（ON、OFF）に対する対応は、電源ON、OFFによる場合分けとして次のようになる。
（テレビ電源：接続機器電源：対応）
ON：ON：接続機器が定期的にテレビの蓄積媒体をチェックする。
ON：OFF→ON：接続機器起動時にテレビの蓄積媒体をチェックする。あとはテレビ電源ON、接続機器電源ONの場合と同様。
OFF：OFF→ON：WakeUp on LAN機能でテレビを立ち上げ、テレビの蓄積媒体をチェックし、テレビの電源をおとす。
OFF→ON：ON：テレビは接続機器に「起動した」という通知を行い、通知を受けると、接続機器は定期的にテレビの蓄積媒体をチェックするようにする。
図３は、デジタルテレビジョン放送受信装置１１が取得したアドレス情報を、ＰＣ２８に転送する処理動作の例をまとめたフローチャートを示している。すなわち、処理が開始（ステップＳ６）されると、制御部６３は、ステップＳ７で、ネットワーク３２を介してアドレス情報を取得し、ステップＳ８で、取得したアドレス情報を含むパケットをＰＣ２８に上記のように基本的にはＰＣ２８の要求に応じて転送する。
【００５０】
その後、制御部６３は、ステップＳ９で、ＰＣ２８からアドレス情報を受信した旨の応答が得られたか否かを判別し、応答が得られたと判断された場合（ＹＥＳ）、ステップＳ１０で、ＰＣ２８がアドレス情報を受信して保存したことを確認して、処理を終了（ステップＳ１２）する。
【００５１】
また、上記ステップＳ９でＰＣ２８からアドレス情報を受信した旨の応答が得られないと判断された場合（ＮＯ）、制御部６３は、ステップＳ１１で、ＰＣ２８が起動していない（電源が投入されていない）と判断し、Wakeup on ＬＡＮ機能等を用いてＰＣ２８の電源を立ち上げ、再度、ステップＳ８で、取得したアドレス情報を含むパケットをＰＣ２８に転送するように制御する。
【００５２】
また、上記した実施の形態では、デジタルテレビジョン放送受信装置１１が取得したアドレス情報を、情報端末であるＰＣ２８に自動転送することについて説明したが、情報端末としては、ＰＣ２８に限らず、例えば携帯電話等でも良いことはもちろんである。さらに、デジタルテレビジョン放送受信装置１１と情報端末との間の通信は、ＬＡＮに限らず、例えばBluetooth（登録商標）等を使用しても良いものである。
【実施例２】
【００５３】
本発明による実施例２を図１乃至図２及び図４を参照して説明する。実施例１と共通する部分は説明を省略する。
＜接続機器の蓄積媒体にコンテンツ情報を保存する場合＞
番組やインターネットから取得したコンテンツ情報を、接続機器の蓄積媒体に保存しておく。
接続機器は定期的に自身の蓄積媒体を見張り、コンテンツ情報があれば、コンテンツ情報から音楽やDVD等の物販サイトのURLを抽出し、自動的に自身のブラウザをたちあげて物販サイトを開く。
【００５４】
一度取得したコンテンツ情報は、「履歴」という形で接続機器の蓄積媒体に残しておく。このようにすることで、インターネットの問題で購入サイトにアクセスできなかったといった問題を回避できる。特徴は次のようになる。
【００５５】
●接続機器の蓄積媒体にコンテンツ情報を蓄積する
1.  テレビは取得したコンテンツ情報を、有線LAN・無線LAN（ソケット通信やメール）やBluetoothを使用して接続機器の蓄積媒体に蓄積する。
2.  接続機器の蓄積媒体にコンテンツ情報があれば、接続機器はコンテンツ情報を取得する。
3.  接続機器は、取得したコンテンツ情報に埋め込まれているURLの物販サイトを自動的に開く。
また、テレビと接続機器の電源状態（ON、OFF）に対する対応は、電源ON、OFFによる場合分けとして次のようになる。
（テレビ電源：接続機器電源：対応）
ON：ON：テレビが取得したコンテンツ情報を接続機器の蓄積媒体に保存する。接続機器は定期的に自身の蓄積媒体をチェックする。
ON：OFF：WakeUp on LAN機能で接続機器を立ち上げ、コンテンツ情報を接続機器の蓄積媒体に保存する。
図４は、デジタルテレビジョン放送受信装置１１が取得したアドレス情報を、ＰＣ２８に転送する処理動作の例をまとめたフローチャートを示している。すなわち、処理が開始（ステップＳ１４）されると、ＰＣ２８内部の図示せぬ蓄積媒体は、ステップＳ１５で、デジタルテレビジョン放送受信装置１１を介してアドレス情報を取得する。
【００５６】
その後、ＰＣ２８は、ステップＳ１６で、デジタルテレビジョン放送受信装置１１からアドレス情報を受信した旨の応答が得られたか否かを判別し、応答が得られたと判断された場合（ＹＥＳ）、ステップＳ１７でＰＣ２８はアドレス情報を確認し、ステップＳ１９で、取得したアドレス情報に関わるサイトにアクセスし、処理を終了（ステップＳ２０）する。
【００５７】
また、上記ステップＳ１６でデジタルテレビジョン放送受信装置１１からアドレス情報を受信した旨の応答が得られないと判断された場合（ＮＯ）、ＰＣ２８は、ステップＳ１８で、デジタルテレビジョン放送受信装置１１が起動していない（電源が投入されていない）と判断し、Wakeup on ＬＡＮ機能等を用いてデジタルテレビジョン放送受信装置１１の電源を立ち上げ、再度、ステップＳ１５で、取得したアドレス情報を含むパケットをＰＣ２８に転送するように制御する。
【００５８】
なお、アドレス情報を含むパケットのＰＣ２８への再転送は、予め設定された所定の回数まで繰り返されるものとし、その所定回数に達してもＰＣ２８からアドレス情報を受信した旨の応答が得られない場合には、次にアドレス情報を含むパケットの再転送を行なう日時をユーザが設定できるようにしても良い。
【００５９】
上記のように本発明では、テレビから接続機器へのコンテンツ情報を容易に転送できるため、非常にユーザフレンドリーでストレスを与えない。更に、一旦コンテンツ情報を蓄積するため、データの喪失などに耐性がある。
【００６０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置が行なう処理動作の一例を説明するために示すフローチャート。
【図４】他の実施の形態におけるデジタルテレビジョン放送受信装置が行なう処理動作の一例を説明するために示すフローチャート。
【符号の説明】
【００６２】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィックス処理部、５７…音声処理部、５８ａ〜５８ｄ…入力端子、５９…ＯＳＤ信号生成部、６０…映像処理部、６１…出力端子、６２…出力端子、６３…制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢＩ／Ｆ、７１…ＩＥＥＥ１３９４ Ｉ／Ｆ。
【図１】
2008152707.tif 000003
【図２】
2008152707.tif 000004
【図３】
2008152707.tif 000005
【図４】
2008152707.tif 000006